(57)【要約】  容器（１）は、プラスチック材料から作られた、容器容積を囲む側壁（２）を有する。側壁（２）は、鉛直方向に離間し水平方向に配向された溝（７、８）を含み、この溝（７、８）は、側壁（２）を補強するための第１の溝（７）を備え、前記第１の溝は、第１の溝深さ（ｔ１）を有し、囲まれた容器容積内に突出する突起（１１）が側壁（２）の内面（５）に形成されるように設計される。第２の溝（８）は、第１の溝深さ（ｔ１）よりも小さい第２の溝深さ（ｔ２）を有する。第１及び第２の溝（７、８）は、いずれの場合にも少なくとも一つの第２の溝（８）が、鉛直方向において二つの第１の溝（７）の間で配置されるように、配置される。第２の隣接する溝（７、８）によって画成される二つの水平面（９、１０）と側壁（２）によって囲まれるサブ容積は、いずれの場合も同一である。【選択図】図１
2020507524.tif 000002
【特許請求の範囲】
【請求項１】
容器容積を囲むプラスチックの側壁（２）を有し、
互いに鉛直方向に離間した水平方向に配向された溝（７、８）が、前記側壁（２）に形成され、
前記溝（７、８）が、前記側壁（２）を補強するための第１の溝（７）を備え、前記第１の溝（７）は、第１の溝深さ（ｔ１）を有し、前記囲まれた容器容積内に突出する突起（１１）が前記側壁（２）の内面（５）に形成されるように構成された、容器（１）であって、
前記溝（７、８）がさらに、第２の溝深さ（ｔ２）を有する第２の溝（８）を備え、前記第１の溝深さ（ｔ１）が、前記第２の溝深さ（ｔ２）よりも大きく、
前記第１及び第２の溝（７、８）は、少なくとも一つの第２の溝（８）が、いずれの場合にも鉛直方向において二つの第１の溝（７）の間で配置されるように、配置され、
二つの隣接した溝（７、８）によって画成される二つの水平面（９、１０）と、前記側壁（２）によって囲まれるサブ容積が、いずれの場合も同一である
ことを特徴とする、容器（１）。
【請求項２】
前記側壁（２）が、少なくとも、互いに鉛直方向に離間した水平方向に配向された前記溝（７、８）の領域において、透明又は半透明であることを特徴とする、請求項１に記載の容器（１）。
【請求項３】
前記溝（７、８）が、前記容器（１）に受けられる容積のための目盛りを形成し、容器底（３）と、前記側壁（２）と、最も下の前記溝（７、８）によって画成される水平面とによって囲まれる前記サブ容積が、二つの隣接した溝（７、８）よって画成される二つの水平面（９、１０）と前記側壁（２）によって囲まれる前記サブ容積の整数倍であることを特徴とする、請求項１又は２に記載の容器（１）。
【請求項４】
二つの隣接した第１の溝（７）が、いずれの場合も互いから鉛直距離аにあり、前記鉛直距離ａについて、条件０．１０Ｄ≦ａ≦０．３０Ｄ、好ましくは０．１５Ｄ≦ａ≦０．２５Ｄが満たされ、Ｄが、前記二つの隣接した溝（７、８）の間の前記鉛直距離ａの領域において前記容器（１）の内側で最大限可能な水平内部範囲であることを特徴とする、請求項１から３のいずれか一項に記載の容器（１）。
【請求項５】
前記第１の溝深さ（ｔ１）について、条件０．０１Ｄ≦ｔ１≦０．１０Ｄ、好ましくは０．０３Ｄ≦ｔ１≦０．０７Ｄが満たされ、Ｄが、二つの隣接した溝（７、８）の間の前記鉛直距離ａの領域において前記容器（１）の内側で最大限可能な水平内部範囲であり、ｔ１が前記第１の溝深さであることを特徴とする、請求項１から４のいずれか一項に記載の容器（１）。
【請求項６】
前記第２の溝深さ（ｔ２）について、条件０．００５Ｄ≦ｔ２≦０．０５Ｄ、好ましくは０．０１Ｄ≦ｔ２≦０．０３Ｄが満たされ、Ｄが、二つの隣接した溝（７、８）の間の前記鉛直距離ａの領域において前記容器（１）の内側で最大限可能な水平内部範囲であり、ｔ２が前記第２の溝深さであることを特徴とする、請求項１から５のいずれか一項に記載の容器（１）。
【請求項７】
前記容器（１）の前記側壁（２）が、円形の断面を有し、Ｄが、前記溝（７、８）の間の前記側壁（２）の内径であることを特徴とする、請求項４から６のいずれか一項に記載の容器（１）。
【請求項８】
前記第１の溝（７）が、前記第１の溝深さ（ｔ１）において弧形状であることを特徴とする、請求項１から７のいずれか一項に記載の容器（１）。
【請求項９】
前記第１の溝（７）が、前記第１の溝深さ（ｔ１）において円形区分の輪郭を有することを特徴とする、請求項１から８のいずれか一項に記載の容器（１）。
【請求項１０】
前記第１の溝（７）の前記円形区分の円の半径（ｒ）に対する前記第１の溝深さ（ｔ１）の比が、１．５〜２．５の範囲にあることを特徴とする、請求項９に記載の容器（１）。
【請求項１１】
前記第１の溝（７）のうちの一つから形成され、前記側壁（２）の前記内面（５）において前記囲まれた容器容積内に突出する前記突起（１１）が、前記側壁（２）の前記内面（５）に向かう丸みのある移行部を有する、請求項１から１０のいずれか一項に記載の容器（１）。
【請求項１２】
前記溝（７、８）のそれぞれが、前記側壁（２）において閉じたリングとして構成されることを特徴とする、請求項１から１１のいずれか一項に記載の容器（１）。
【請求項１３】
前記側壁（２）を構成するプラスチックが、高密度ポリエチレン（ＨＤＰＥ）又は共押出プラスチックフィルム（ＣＯＥＸ）により形成されていることを特徴とする、請求項１から１２のいずれか一項に記載の容器（１）。
【請求項１４】
前記側壁（２）の前記厚さ（ｄ）が、前記溝（７、８）において、及び前記溝同士間で実質的に一定であることを特徴とする、請求項１から１３のいずれか一項に記載の容器（１）。
【請求項１５】
前記溝（７、８）のある前記側壁（２）は、前記囲まれた容器容積内に負圧があるときに、前記側壁（２）が変形しないように構成されることを特徴とする、請求項１から１４のいずれか一項に記載の容器（１）。
【請求項１６】
再閉可能な開口部（６）が、最も上の前記溝（７、８）よりも上に形成されることを特徴とする、請求項１から１５のいずれか一項に記載の容器（１）。
【発明の詳細な説明】
【技術分野】
【０００１】
本発明は、容器容積を囲むプラスチックの側壁を有する容器であって、鉛直方向に互いに離間した、水平方向に配向された溝が側壁に形成され、溝が、側壁を補強するための第１の溝を備え、この第１の溝が、第１の溝深さを有し、囲まれた容器容積内に突出する突起が側壁の内面に形成されるように構成された、容器に関する。
【背景技術】
【０００２】
変形しやすい材料から作られる容器、たとえばプラスチック容器は、変形しないように安定化させなくてはならないことが多い。この種の容器は、たとえば閉じられた容器の内部で発生する負圧によって、又はたとえば移動中に手で圧縮されることによって、変形することがある。したがって、変形しないように容器を安定化することが、いくつかの観点から賢明又は必要である。一方では、安定性が増し、その結果として損傷のリスクが低減する。他方では、容器の見た目が美しいことが重要である。たとえば、へこんだ形の変形の印を見せるべきではない。
【０００３】
ＥＰ２３１９７７１Ａ１は、その導入部分において、内圧が低下したときに、薄い壁のプラスチックボトルが予想外に変形するという問題を記載している。目的は、こうした不規則な変形を回避することである。ＥＰ２３１９７７１Ａ１は、この問題に対して、ボトルの上部と下部の間に溝を設けるという解決策を提案している。容器内に負圧が存在するとき、この溝が軸方向に変形し、それによりボトルの上部が、ボトルの下部の方向に軸方向に動く。ボトルの下部には、さらにリブが配置され、このリブが、ボトルの壁を補強する役割を果たす。しかし、これに加えて、リブは、ボトルが軸方向に収縮し変形する間に残りの負圧を吸収するのにも役立つが、この残りの負圧は、溝の変形によって完全に補償することができない。したがって、ボトル下部のリブも負圧で変形する。これは、二つの隣接した溝によって画成される二つの水平面とボトルの側壁によって囲まれるサブ容積が、ボトル内の負圧に応じて変化するという影響を有する。
【０００４】
また、補強要素によって容器を安定化することも知られている。このために、鉛直方向の変形に対抗するため、又は径方向のへこみに対抗するために、容器の製造工程において、たとえば水平な補強要素が容器壁に導入される。
【０００５】
容器は、所望の使用分野のために十分な安定性を有するように設計されるべきである。しかしそれと同時に、コスト及び重量に関する理由から、多くの使用分野において、可能なかぎり少ない量のプラスチックを使用すべきである。この理由から、安定化突起の形の補強要素を容器の外壁に有する代わりに、囲まれた容器容積内に突出する突起を容器の側壁の内面に形成する補強溝を形成することも可能である。なぜならこの場合、側壁を形成するのに必要なプラスチックの量が少ないからである。しかし、その結果、こうした容器の流出特性が乏しくなってしまうことがわかっており、それにより、容器を完全に空にすることが潜在的に不可能である。容器に受けられた製品全部を利用することができないので、一部の製品にとってこれは非常に不利である。さらに、再利用又は廃棄するために、潜在的に多大なコストをかけて容器を洗浄しなくてはならないことがある。容器が、たとえば作物保護剤を受けるものである場合には、これはかなり不利である。
【０００６】
また、目盛り区分の付いた容器も知られている。こうした目盛り区分によって、ユーザはより簡単に、容器から規定のサブ容積を注出又は排出することができる。
【０００７】
ＵＳ２００５／０，０２９，２２０Ａ１は、プラスチック樹脂から作られる円筒状ボトルの形の容器を記載している。この容器は、容器を補強する役割を果たすらせん形状の又は水平な溝を有する。水平な溝の場合には、一実施形態において、これらの溝が鉛直方向に互いに等距離に配置される。ボトル内部の負圧３５０ｍｍＨｇにおいて容器の側壁に変形が生じないように、容器の直径に応じて溝同士間の距離が選択される。こうした負圧は、たとえば容器が熱い内容物で満たされ、閉じられ、その後、容器の内容物が冷めるときに生じる。一実施形態では、溝は容器の周り全体に延在し、さらなる実施形態では、溝は円錐台の形状の断面を有する。
【０００８】
入っている液体の容積を溝によって示すことができるさらなる容器が、ＣＨ２７４７９３Ａに記載されている。
【発明の概要】
【発明が解決しようとする課題】
【０００９】
本発明の目的は、目盛り区分を有し、同時に流出特性が最適化された安定した容器を利用可能にすることである。
【課題を解決するための手段】
【００１０】
本発明によれば、この目的は、請求項１に記載の特徴を有する容器によって達成される。有利な実施形態及び発展形態は、従属請求項に記載される。
【００１１】
本発明による容器は、溝が、第２の溝深さを有する第２の溝を備え、第１の溝深さが、第２の溝深さよりも大きく、第１及び第２の溝は、少なくとも一つの第２の溝が、いずれの場合にも、鉛直方向において二つの第１の溝の間で配置されるように配置され、第２の隣接した溝によって画成される二つの水平面と側壁によって囲まれるサブ容積が、いずれの場合も同一であることを特徴とする。こうして、容器の溝は、容器によって受けられる容積のための目盛りを形成する。
【００１２】
細かく付けられた目盛りを形成するには、ほとんどの場合、第１の溝（「補強溝」）よりも多くの溝を有することが必要であり、第１の溝は、少なくとも容器が十分に補強され、したがって安定するのを確実にするために存在すべきものである。本発明による容器では、第２の溝（「中間溝」）を加えることによって、必要な補強溝の数が少ない場合でも、細かく付けられた目盛りを確実に形成できるようになり、その目盛りによって、容器のより少ないサブ容積を計り分けることも可能になる。この場合、補強溝は目盛りの一部分にすぎず、前記目盛りは、第２の、より浅い溝によって完成する。第２の溝深さが第１の溝深さよりも浅いことにより、内容物を注出又は排出するときに、容器の内容物の一部を引き止める抵抗力を有利に低減することができる。なぜなら、浅い溝は、深い補強溝よりも容器の内容物を引き止める量が少ないからである。したがって、本発明による容器は、特に、細かく付けられた目盛り区分を有すると同時に、流出特性も最適化されるように、可変に適合させることができる。
【００１３】
本発明による容器のさらなる利点は、突出した構造的要素が容器の表面にないことである。実際、このような構造的要素を形成することは、容器の使用中にこれらの構造的要素がこすれ落ちる恐れがあるという不利益がある。次いで、時間が経過するにつれ、もはや目盛りが容易に読み取れなくなる。
【００１４】
本発明による容器のさらに別の利点は、深い補強溝に比べて浅い溝では、プラスチックがそれほど薄くならず、その結果、壁厚さ、したがって容器の重量を増加させることなく、たとえば水蒸気又は酸素に対する遮蔽性が強化される。
【００１５】
したがって本発明による容器は、大きく異なる、ときに矛盾した要件を満たすことができる。第１の溝があることによって、容器は、側壁の壁厚さが薄い場合でも十分な安定性を得るように強化することができる。同時に、溝全体によって目盛りが利用可能になり、側壁の補強に必須ではない付加的な第２の溝は、容器の注出又は排出の特性を損なわず、同時に、容器の側壁に使用される材料の量は増大しない。
【００１６】
一実施形態では、容器底と、側壁と、最も下の溝によって画成される水平面とによって囲まれるサブ容積は、二つの隣接した溝によって画成される二つの水平面と側壁によって囲まれるサブ容積の整数倍になることができる。こうして、二つの隣接した溝の間に、同一のサブ容積が囲まれる。底と最も下の溝によって囲まれるサブ容積は、このサブ容積と同一であってもよいが、より大きくなるように選択されてもよい。しかし、この最も下のサブ容積は、溝同士間のサブ容積の整数倍である。したがって、整数倍は、数１をかけることを含め、自然数をかけることとして理解される。容器下部の安定化溝は不要であるが、ユーザが直感的に識別することのできる目盛りを溝によって利用可能にすべき場合に、この区分は有利である。
【００１７】
容器の一実施形態では、側壁は、少なくとも、互いに鉛直方向に離間した水平方向に配向された溝の領域において、透明又は半透明である。たとえば、側壁は、水平方向に配向された溝が交差する、鉛直方向に配向された透明又は半透明のストリップを有してもよい。しかし、容器の側壁は、好ましくは完全に透明又は半透明である。こうして容器内部の充填レベルを外側から見ることができ、それによりリブを目盛りとして使用することができる。
【００１８】
容器の一実施形態では、二つの隣接した第１の溝は、いずれの場合も互いから鉛直距離ａにある。鉛直距離ａについて、条件０．１０Ｄ≦ａ≦０．３０Ｄ、好ましくは０．１５Ｄ≦ａ≦０．２５Ｄが満たされ、Ｄは、二つの隣接した溝の間の鉛直距離ａの領域において容器内側で最大限可能な水平内部範囲である。円形の円筒状容器の場合には、最大限可能な水平内部範囲は、容器の内径である。容器のこの形状により、多くのプラスチック材料は、容器の十分な安定性を薄い壁厚さで確保することができる。
【００１９】
したがって、本発明による容器では、距離、したがって必要な第１の溝すなわち補強溝の数は、二つの隣接した溝の間の鉛直距離ａの領域において容器内側で最大限可能な水平内部範囲に応じて、決めることができる。こうして、容器の安定性に必要な数の補強溝だけが提供される。さらに、この場合、細かく付けられた所望の目盛りを形成するのに必要な数の第２の溝を加えることも、有利に可能になる。
【００２０】
容器の一実施形態では、第１の溝深さｔ１について、条件０．０１Ｄ≦ｔ１≦０．１０Ｄ、好ましくは０．０３Ｄ≦ｔ１≦０．０７Ｄが満たされ、Ｄは、二つの隣接した溝の間の鉛直距離ａの領域において容器内側で最大限可能な水平内部範囲である。
【００２１】
したがって、本発明による容器では、第１の溝の溝深さは、二つの隣接した溝の間の鉛直距離ａの領域において容器内側で最大限可能な水平内部範囲に応じて決めることができる。特に補強溝については、浅い溝よりも深い溝の方が容器をより強力に補強するので、結果的にもたらされる補強効果に関して溝深さが重要である。
【００２２】
容器の一実施形態では、第２の溝深さｔ２について、条件０．００５Ｄ≦ｔ２≦０．０５Ｄ、好ましくは０．０１Ｄ≦ｔ２≦０．０３Ｄが満たされ、Ｄは、二つの隣接した溝の間の鉛直距離ａの領域において容器内側で最大限可能な水平内部範囲である。
【００２３】
さらに、本発明による容器では、第２の溝の溝深さは、二つの隣接した溝の間の鉛直距離ａの領域において容器内側で最大限可能な水平内部範囲に応じて決めることができる。対照的に、単に目盛りを形成する役割を果たすだけの付加的な第２の溝では、溝は浅ければ浅いほどよく、その理由は、容器から容器内容物を注出又は排出するときに、浅い溝は容器内容物を引き止める量が少ない、又はさらには全く引き止めないからである。こうして、溝深さの理想的な比を得るように、溝深さを有利に決定することができる。
【００２４】
容器の一実施形態では、容器の側壁は円形の断面を有する。この場合、変数Ｄは、溝同士間の側壁の内径である。
【００２５】
本発明による容器は、好ましくは円形の円筒状容器である。円形の円筒状容器は、消費者に提供される容器の最も一般的な形状であり、多角形の断面を有する容器に比べて良好な流出特性によって区別され、多角形の断面を有する容器では、容器に受けられる製品が縁に残り、そこに汚れが蓄積しやすいことがあり、簡単にゆすぎ落すことができない。しかし、別の構成によれば、本発明による容器は、正方形又は矩形の断面を有することもできる。
【００２６】
容器の一実施形態では、第１の溝は、第１の溝深さにおいて弧形状である。溝深さにおいて、第１の溝は、特に円の一区分の形状を有する。さらに、第１の溝は、そこにおいてＶ字形状又は楕円形状を有することもできる。これにより、縁のある溝を有する容器の場合よりも、丸い溝において引き止められる材料が確実に少なくなる。こうして、容器の流出特性が有利に改善される。さらに、縁のない溝に蓄積する汚れは、縁のある溝よりも少ない。
【００２７】
容器の一実施形態では、第１の溝は、第１の溝深さにおいて円区分の輪郭を有する。これによっても、容器内容物を注出又は排出するときの流出特性がさらに改善され、内面の汚損が回避される。
【００２８】
容器の一実施形態では、第１の溝の円形区分の円の半径に対する第１の溝深さの比は、１．５〜２．５の範囲にある。本発明による容器では、第１の溝の円形区分の半径に応じて、理想的な溝深さを決定することができる。こうして、容器内容物を注出又は排出するときに、引き止められる容器内容物がもしあれば最小限になるように、溝を有利に構成することができ、こうして流出特性が最適化される。
【００２９】
容器の一実施形態では、第１の溝のうちの一つから形成される、囲まれた容器容積内に側壁の内面において突出している突起は、側壁の内面に向かう丸みのある移行部を有する。これにより、容器内容物が注出されるときに、材料が引き止められる縁が確実に形成されないようになる。この手段によっても、汚損を低減することができる。
【００３０】
容器の一実施形態では、溝のそれぞれは、側壁において閉じたリングとして構成される。本発明による容器では、第１、及び第２の溝も、こうして容器の側壁を完全に囲む。こうして、第１の溝（補強溝）が、容器を特に効果的に有利に安定化する。第１と第２の溝の相互作用により目盛りを形成することに関しても、溝のそれぞれが側壁を完全に囲むことは有利であり、その理由は、この場合、容器の各点において目盛りが見え、それを読むことができるからである。さらに、目盛りを容器のラベルに適用することができる。ラベルの位置は、ほとんどの場合規定されていないので、目盛り機能を同時に有するラベルを柔軟に適用することが、周りを囲む溝によって可能になる。
【００３１】
容器の一実施形態では、側壁を構成するプラスチックの硬度が７５０ＭＰａ〜１５００ＭＰａの範囲で、二つの溝の間の側壁の内径が８７．５ｍｍ〜８９．５ｍｍの範囲において、第１の溝深さは、３ｍｍ〜５ｍｍの範囲にある。プラスチックの硬度は、ヤング率とも呼ばれる弾性率によって示される。
【００３２】
したがって本発明による容器では、補強溝の必要な溝深さを、プラスチックの硬度、及び容器の寸法（側壁の内径）に応じて確実に決定することができる。容器の安定性を、こうして有利に最適化することができる。
【００３３】
容器の一実施形態では、側壁を構成するプラスチックは、高密度ポリエチレン（ＨＤＰＥ）又は共押出プラスチックフィルム（ＣＯＥＸ）により形成されている。こうして、本発明による容器は、簡単に、コスト効率的に生産することができる。しかし、容器は、フッ素化などの他の処理ステップを経てもよい。
【００３４】
容器の一実施形態では、側壁の厚さは、溝において、及び溝同士間で実質的に一定である。こうして、容器の高度な安定性を、少ない材料消費で有利に実現することができる。
【００３５】
容器の一実施形態では、溝同士間の側壁の内径に対する側壁の厚さの比は、０．００８〜０．０１３の範囲にある。
【００３６】
したがって、本発明による容器では、側壁の厚さを、溝同士間の側壁の内径に比例して適合させることができる。こうして、容器の高度な安定性を、少ない材料消費で有利に実現することができる。
【００３７】
容器の一実施形態では、第１の溝は、均一な壁厚さ及び０．５ｂａｒの負圧で、容器の変形が生じないようなやり方で、容器の側壁を補強する。
【００３８】
容器の一実施形態では、溝のある側壁は、囲まれた容器容積内に負圧があるときに、側壁が変形しないように構成される。側壁に作用する圧力がたとえば１気圧（１０１３．２５ｂａｒ）ある場合でも、側壁は変形しない。特に溝も変形しない。特に、溝の軸方向の変形がない。したがって、二つの隣接した溝によって画成される二つの水平面と側壁によって囲まれるサブ容積は、囲まれた容器容積内に負圧があり、それにより差圧が外側から容器壁に作用するときでも、いずれの場合も同一のままである。この差圧は、囲まれた容器容積を低減するという意味で作用する。こうして、容器の溝は、囲まれた容器容積に負圧があるときでも、容器によって受けられる容積のための目盛りを提供することができる。
【００３９】
容器が、熱い容器内容物で満たされた場合、容器が閉じられ、次いで容器内容物が冷めるときに、負圧が生じることがある。本発明による容器では、この場合に変形を防止することができる。
【００４０】
この場合、容器を農学的処方物で満たすこともできる。容器を閉じた後に、農学的処方物は、この農学的処方物によって満たされていない容器の領域に囲まれた空気の酸素と反応する。この化学反応において酸素が消費されると、負圧が生じる。本発明による容器は、特に、この負圧において変形を受けないように構成される。
【００４１】
容器の一実施形態では、再閉可能な開口部が、最も上の溝よりも上に形成される。容器内容物は、この開口部を介して容器から取り出すことができ、この開口部は、たとえば蓋によって再び閉じることができ、それにより、部分的に空いた容器の内容物を、より長い期間にわたって保管することもできる。
【００４２】
この書類で使用されるとき、水平及び鉛直という用語は、その意図する目的のための容器の配向に関する。この場合、容器の底は、特に下に方向付けられ、溝によって形成される平面は水平方向に配向され、それにより容器に受けられた液体は、この水平面に平行に配向される。
【００４３】
ここで、以下の例示的な実施形態に基づき、図面を参照しながら、本発明を詳細に説明する。
【図面の簡単な説明】
【００４４】
【図１】本発明による容器１の概略図である。
【図２】第１及び第２の溝の構成を示すための、図１の細部Ａ１の拡大図である。
【図３】囲まれた容器容積内に突出した突起としての第１及び第２の溝の構成を示すための、本発明による容器の一部分の断面図である。
【発明を実施するための形態】
【００４５】
図１に示す本発明による円筒状の容器１は、高密度ポリエチレン（ＨＤＰＥ）から作られる。容器は、軸Ａ周りに回転対称であり、円形の容器底３と円筒状の側壁２を備える。側壁２の上端部では、先細りの肩部４が開口部６につながっており、開口部６は、たとえばねじ山のある蓋によって再閉可能であり、この開口部６を通して容器の内容物を取り出すことができる。
【００４６】
側壁２は半透明であり、側壁２を補強する役割を果たす水平方向に配向された四つの第１の溝７．１〜７．４（「補強溝」）を有する。第１の溝７．１〜７．４は、全体的に７によって示されることもある。さらに、側壁２は、水平方向に配向された三つの第２の溝８．１〜８．３を有し、これらは全体的に８によって示されることもあり、溝７、８はそれぞれ、互いから鉛直距離ａに配置される（図２を参照）。溝７及び８は交互に配置され、すなわち、第１の溝７の上には常に第２の溝８が配置され、第２の溝８の上には常に第１の溝７が配置され、最終的にこの配置は第１又は第２の溝７、８で終わる。一連の溝は、第１の溝７で始まっても、第２の溝８で始まってもよい。
【００４７】
他の容器容積及び他の容器直径では、異なる数の第１及び／又は第２の溝７、８を設けることも可能である。さらに、二つの第１の溝７の間に、いくつかの第２の溝８を配置することも可能である。
【００４８】
それぞれの溝７、８は、閉じたリングとして側壁２の周りに延在する。第１の溝７（「補強溝」）を配置することによって、容器１の側壁２は、均一な壁厚さ、及び０．５ｂａｒの負圧で、容器１の変形が生じないようなやり方で補強される。
【００４９】
また図１は、第１の溝７によって画成される水平面９．１〜９．４、及び第２の溝８によって画成される水平面１０．１〜１０．３も示す。本発明による容器１では、二つの隣接した水平面９、１０はそれぞれ、容器１の側壁２とともに、同一のサブ容積を囲む。さらに、最も下の溝７．４によって画成される最も下の水平面９．４と、容器底３と、側壁２とによって囲まれるサブ容積は、さらに上述したサブ容積の整数倍である。その結果、溝７、８、及び関連する平面９、１０を配置することによって、容器１に受けられる容積のために細かく付けられた目盛りができ、その目盛りを用いて、容器の内容物の上述したサブ容積を計り分け、容器１から取り出すことができる。
【００５０】
また図１は、二つの隣接した溝７、８の間の鉛直距離ａの範囲において、容器１の内側で最大限可能な水平内部範囲Ｄも示す。例示的な本実施形態では、この変数は、円筒状の容器１の内径に対応する。
【００５１】
さらに図２は、容器１の内面５を示すとともに、第１の溝７の溝深さｔ１及び円形区分の半径ｒ、並びに第２の溝８の溝深さｔ２も示す。図３は、突起１１を有する容器１の側壁２の厚さｄを示し、突起１１は、溝７、８によって形成され、囲まれた容器容積内に突出している。突起１１は、側壁２の内面５に向かう丸みのある移行部を有するように構成される。容器１の側壁２の厚さｄは、容器１のそれぞれの点において実質的に一定である。
【００５２】
ここに説明する本発明による容器の例示的な実施形態は、以下の寸法を有する：
【００５３】
容器１の高さは２３４ｍｍであり、二つの隣接した溝７、８の間の鉛直距離ａの範囲において容器１の内側で最大限可能な水平内部範囲Ｄ（二つの溝７、８の間の円筒状の容器１の内径）は、８５．９ｍｍである。最も下の第１の溝７．４は、容器底３から４３．５ｍｍの距離にある。容器底３と、側壁２と、平面９．４との間に２００ｍｌの容積が囲まれる。すべてのさらなる溝７、８は、（距離ａに対応する）１８．４ｍｍだけ互いに離間している。隣接した第２の溝７、８の平面９、１０と、側壁２によって囲まれる容積は、いずれの場合も１００ｍｌである。上述したように、最も下の平面９．４と、容器底３と、側壁２とによって囲まれる容積は２００ｍｌであり、これはこの容積の２倍に相当する（すなわち、２の整数倍）。
【００５４】
第１の溝７の深さｔ１は４ｍｍであり、第１の溝７の円形区分の半径ｒは２ｍｍである。その結果、円形区分の円の半径ｒに対する第１の溝深さｔ１の比は２．０になる。第２の溝８の深さｔ２は１ｍｍ（ｔ１＞ｔ２）である。側壁２の厚さｄは、９５０μｍであり、溝７、８において、及び溝同士間において、実質的に一定である。溝７、８間の側壁２の内径に対する側壁２の厚さｄの比は、本発明による本容器１では０．０１の値を有する。
【００５５】
容器の他の例示的な実施形態では、容器は異なる寸法を有する。このように、異なる容積の容器を生産することが可能であり、これらの容器は、材料消費量が少なく、サブ容積のための目盛りを提供し、同時に、最適化された排出及び注出の特性を有するにも関わらず、十分に堅い。
【００５６】
さらなる例示的な実施形態では、溝７、８のある側壁２は、囲まれた容器容積内に負圧があるときに、側壁２が変形しないように構成される。側壁は十分に堅い。側壁に作用する圧力がたとえば１気圧（１０１３．２５ｂａｒ）ある場合でも、側壁２は変形しない。特に、材料及び厚さに関して、水平な溝７、８は変形しないように構成される。溝７、８がＶ字形状又は楕円形状の場合には、負圧がある場合、溝７、８に対して側壁２の軸方向上部と軸方向下部が互いに向かって動く恐れがあり、その結果、囲まれた容器容積が溝７、８の変形によって低減する。この場合、二つの溝７、８の間のサブ容積は負圧に応じて変化し、それにより溝７、８はもはや目盛りとしての役割を果たすことができない。例示的な実施形態ではこれが回避される。溝は、囲まれた容器容積内に負圧があるときでも、二つの溝７、８の間のサブ容積が変化しないことから、目盛りとしての役割を果たすことができる。
【符号の説明】
【００５７】
１  容器
２  側壁
３  容器底
４  肩部
５  内面
６  再閉可能な開口部
７．１  第１の溝
７．２  第１の溝
７．３  第１の溝
７．４  第１の溝
８．１  第２の溝
８．２  第２の溝
８．３  第２の溝
９．１  第１の溝７．１によって画成される水平面
９．２  第１の溝７．２によって画成される水平面
９．３  第１の溝７．３によって画成される水平面
９．４  第１の溝７．４によって画成される水平面
１０．１  第２の溝８．１によって画成される水平面
１０．２  第２の溝８．２によって画成される水平面
１０．３  第２の溝８．３によって画成される水平面
１１  突起
Ａ  軸
ａ  二つの隣接した溝７、８の間の鉛直距離
Ｄ  最大限可能な水平内部範囲
ｄ  側壁２の厚さ
ｒ  溝７の円形区分の円の半径
ｔ１  第１の溝７の深さ
ｔ２  第２の溝８の深さ
【図１】
2020507524.tif 000003
【図２】
2020507524.tif 000004
【図３】
2020507524.tif 000005
【手続補正書】
【提出日】平成31年2月11日(2019.2.11)
【手続補正１】
【補正対象書類名】特許請求の範囲
【補正対象項目名】全文
【補正方法】変更
【補正の内容】
【特許請求の範囲】
【請求項１】
容器容積を囲むプラスチックの側壁（２）を有し、
互いに鉛直方向に離間した水平方向に配向された溝（７、８）が、前記側壁（２）に形成され、
前記溝（７、８）が、前記側壁（２）を補強するための第１の溝（７）を備え、前記第１の溝（７）は、第１の溝深さ（ｔ１）を有し、前記囲まれた容器容積内に突出する突起（１１）が前記側壁（２）の内面（５）に形成されるように構成された、容器（１）であって、
前記溝（７、８）がさらに、第２の溝深さ（ｔ２）を有する第２の溝（８）を備え、前記第１の溝深さ（ｔ１）が、前記第２の溝深さ（ｔ２）よりも大きく、
前記第１及び第２の溝（７、８）は、少なくとも一つの第２の溝（８）が、いずれの場合にも鉛直方向において二つの第１の溝（７）の間で配置されるように、配置され、
前記側壁（２）および前記側壁（２）の水平方向に配向された前記溝（７、８）は、材料および厚さに関して、前記囲まれた容器容積内に負圧があるときに、負圧の結果として１気圧の圧力が前記側壁（２）および前記側壁（２）の水平方向に配向された前記溝（７、８）に作用したとしても、前記側壁（２）および前記側壁（２）の水平方向に配向された前記溝（７、８）が変形しないように構成され、
二つの隣接した溝（７、８）によって画成される二つの水平面（９、１０）と、前記側壁（２）によって囲まれるサブ容積が、いずれの場合も同一である
ことを特徴とする、容器（１）。
【請求項２】
前記側壁（２）が、少なくとも、互いに鉛直方向に離間した水平方向に配向された前記溝（７、８）の領域において、透明又は半透明であることを特徴とする、請求項１に記載の容器（１）。
【請求項３】
前記溝（７、８）が、前記容器（１）に受けられる容積のための目盛りを形成し、容器底（３）と、前記側壁（２）と、最も下の前記溝（７、８）によって画成される水平面とによって囲まれる前記サブ容積が、二つの隣接した溝（７、８）よって画成される二つの水平面（９、１０）と前記側壁（２）によって囲まれる前記サブ容積の整数倍であることを特徴とする、請求項１又は２に記載の容器（１）。
【請求項４】
二つの隣接した第１の溝（７）が、いずれの場合も互いから鉛直距離аにあり、前記鉛直距離ａについて、条件０．１０Ｄ≦ａ≦０．３０Ｄ、好ましくは０．１５Ｄ≦ａ≦０．２５Ｄが満たされ、Ｄが、前記二つの隣接した溝（７、８）の間の前記鉛直距離ａの領域において前記容器（１）の内側で最大限可能な水平内部範囲であることを特徴とする、請求項１から３のいずれか一項に記載の容器（１）。
【請求項５】
前記第１の溝深さ（ｔ１）について、条件０．０１Ｄ≦ｔ１≦０．１０Ｄ、好ましくは０．０３Ｄ≦ｔ１≦０．０７Ｄが満たされ、Ｄが、二つの隣接した溝（７、８）の間の前記鉛直距離ａの領域において前記容器（１）の内側で最大限可能な水平内部範囲であり、ｔ１が前記第１の溝深さであることを特徴とする、請求項１から４のいずれか一項に記載の容器（１）。
【請求項６】
前記第２の溝深さ（ｔ２）について、条件０．００５Ｄ≦ｔ２≦０．０５Ｄ、好ましくは０．０１Ｄ≦ｔ２≦０．０３Ｄが満たされ、Ｄが、二つの隣接した溝（７、８）の間の前記鉛直距離ａの領域において前記容器（１）の内側で最大限可能な水平内部範囲であり、ｔ２が前記第２の溝深さであることを特徴とする、請求項１から５のいずれか一項に記載の容器（１）。
【請求項７】
前記容器（１）の前記側壁（２）が、円形の断面を有し、Ｄが、前記溝（７、８）の間の前記側壁（２）の内径であることを特徴とする、請求項４から６のいずれか一項に記載の容器（１）。
【請求項８】
前記第１の溝（７）が、前記第１の溝深さ（ｔ１）において弧形状であることを特徴とする、請求項１から７のいずれか一項に記載の容器（１）。
【請求項９】
前記第１の溝（７）が、前記第１の溝深さ（ｔ１）において円形区分の輪郭を有することを特徴とする、請求項１から８のいずれか一項に記載の容器（１）。
【請求項１０】
前記第１の溝（７）の前記円形区分の円の半径（ｒ）に対する前記第１の溝深さ（ｔ１）の比が、１．５〜２．５の範囲にあることを特徴とする、請求項９に記載の容器（１）。
【請求項１１】
前記第１の溝（７）のうちの一つから形成され、前記側壁（２）の前記内面（５）において前記囲まれた容器容積内に突出する前記突起（１１）が、前記側壁（２）の前記内面（５）に向かう丸みのある移行部を有する、請求項１から１０のいずれか一項に記載の容器（１）。
【請求項１２】
前記溝（７、８）のそれぞれが、前記側壁（２）において閉じたリングとして構成されることを特徴とする、請求項１から１１のいずれか一項に記載の容器（１）。
【請求項１３】
前記側壁（２）を構成するプラスチックが、高密度ポリエチレン（ＨＤＰＥ）又は共押出プラスチックフィルム（ＣＯＥＸ）により形成されていることを特徴とする、請求項１から１２のいずれか一項に記載の容器（１）。
【請求項１４】
前記側壁（２）の前記厚さ（ｄ）が、前記溝（７、８）において、及び前記溝同士間で実質的に一定であることを特徴とする、請求項１から１３のいずれか一項に記載の容器（１）。
【請求項１５】
再閉可能な開口部（６）が、最も上の前記溝（７、８）よりも上に形成されることを特徴とする、請求項１から１４のいずれか一項に記載の容器（１）。
【国際調査報告】
2020507524.tif 000006
2020507524.tif 000007
2020507524.tif 000008
2020507524.tif 000009
2020507524.tif 000010
2020507524.tif 000011